(57)【要約】【課題】外部から第１密閉容器への廃液の吸引を継続しながら、第１密閉容器から第２密閉容器へ廃液を移送可能な廃液吸引装置を提供する。【解決手段】廃液吸引装置１０は、第１液吸引ポート１５と第１液排出ポート１６が設けられ、第１液吸引ポート１５を通って外部から吸引した廃液を貯留する第１密閉容器１１と、第１液排出ポート１６に繋がる第２液吸引ポート２６を通って第１密閉容器１１から移送された廃液を貯留する第２密閉容器１２と、第１密閉容器１１と第２密閉容器１２からガスを吸引するためのガス吸引通路２３とを備え、ガス吸引通路２３を通じてガスを吸引して第１密閉容器１１及び第２密閉容器１２の両方に負圧が形成された状態にすることで、第１密閉容器１１に廃液を吸引しながら、第１密閉容器１１と第２密閉容器１２に差圧を生じさせて、第１密閉容器１１から第２密閉容器１２へ廃液が移送されるように構成されている。【選択図】図３
2019025287.tif 000002
【特許請求の範囲】
【請求項１】
医療現場で発生する廃液を吸引する廃液吸引装置であって、
第１液吸引ポートと第１液排出ポートとが設けられ、前記第１液吸引ポートを通って外部から吸引した廃液を貯留する第１密閉容器と、
前記第１液排出ポートに繋がる第２液吸引ポートが設けられ、前記第２液吸引ポートを通って前記第１密閉容器から移送された廃液を貯留する第２密閉容器と、
前記第１密閉容器と前記第２密閉容器とからガスを吸引するためのガス吸引通路とを備え、
前記ガス吸引通路を通じて前記第１密閉容器及び前記第２密閉容器からガスを吸引して前記第１密閉容器及び前記第２密閉容器の両方に負圧が形成された状態にすることで、外部から廃液を前記第１密閉容器に吸引しながら、前記第１密閉容器と前記第２密閉容器とに差圧を生じさせて、前記第１液排出ポート及び前記第２液吸引ポートを通じて前記第１密閉容器から前記第２密閉容器へ廃液が移送されるように構成されている、廃液吸引装置。
【請求項２】
前記ガス吸引通路として、前記第１密閉容器に接続する第１ガス吸引管と前記第２密閉容器に接続する第２ガス吸引管とに途中で分岐する分岐吸引通路と、前記第１密閉容器と前記第２密閉容器とを接続する接続吸引通路とが設けられ、
前記分岐吸引通路の出口からガスを吸引する期間に、前記第１ガス吸引管が閉状態で前記第２ガス吸引管が開状態になった第１状態と、前記第１ガス吸引管と前記第２ガス吸引管との両方が開状態になった第２状態とを切り替え可能な吸引切替部を備え、
前記吸引切替部が前記第１状態に設定される期間は、前記接続吸引通路を通じて前記第１密閉容器のガスが前記第２密閉容器に吸引される、請求項１に記載の廃液吸引装置。
【請求項３】
外部から圧縮ガスを導入するための圧縮ガス用ポートが設けられ、該圧縮ガス用ポートから導入した圧縮ガスを蓄える圧力タンクと、
前記第１密閉容器と前記第２密閉容器の少なくとも一方に前記圧力タンク内の圧縮ガスを供給するための圧縮ガス供給管と、
前記圧縮ガス供給管を開閉する開閉機構とをさらに備え、
前記圧力タンクは、前記第２密閉容器内に配置されている、請求項１又は２に記載の廃液吸引装置。
【請求項４】
前記ガス吸引通路は、前記第１密閉容器に接続する第１ガス吸引管と前記第２密閉容器に接続する第２ガス吸引管とに途中で分岐する分岐吸引通路を有し、
前記第１ガス吸引管を流れるガス流量を調節する負圧調整部をさらに備えている、請求項１に記載の廃液吸引装置。
【請求項５】
前記負圧調整部として、前記第１ガス吸引管に設けられた圧力レギュレータと、前記第１密閉容器において液面が所定水位を超えると前記第１ガス吸引管を閉鎖するフロート弁とが設けられている、請求項４に記載の廃液吸引装置。
【請求項６】
前記第１密閉容器の容積は、前記第２密閉容器の容積よりも小さい、請求項１乃至５の何れか１つに記載の廃液吸引装置。
【請求項７】
前記第１液排出ポートは、前記第１密閉容器の底面に開口している、請求項１乃至６の何れか１つに記載の廃液吸引装置。
【請求項８】
医療現場で発生する廃液を吸引する廃液吸引装置であって、
外部から廃液を吸引するための液吸引ポートと、吸引した廃液を排出するための液排出ポートとが設けられた密閉容器と、
外部から圧縮ガスを導入するための圧縮ガス用ポートが設けられ、該圧縮ガス用ポートから導入した圧縮ガスを蓄える圧力タンクと、
前記密閉容器に前記圧力タンク内の圧縮ガスを供給するための圧縮ガス供給管と
前記圧縮ガス供給管を開閉する開閉機構とを備え、
前記圧力タンクは、前記密閉容器内に配置されている、廃液吸引装置。
【請求項９】
医療現場で発生する廃液を吸引する廃液吸引方法であって、
第１密閉容器と第２密閉容器とからガスを吸引することで、前記第１密閉容器及び前記第２密閉容器の両方に負圧が形成された状態にして、前記第１密閉容器に設けられた第１液吸引ポートから外部の廃液を前記第１密閉容器に吸引するステップと、
前記第１液吸引ポートから外部の廃液を前記第１密閉容器に吸引しながら、前記第１密閉容器と前記第２密閉容器とに差圧を生じさせて、前記第１密閉容器と前記第２密閉容器とを接続する容器接続通路を通じて前記第１密閉容器から前記第２密閉容器へ廃液を移送するステップとを行う、廃液吸引方法。
【請求項１０】
請求項１乃至８の何れか１つに記載の廃液吸引装置を洗浄する洗浄方法であって、
前記第１密閉容器と前記第２密閉容器との各々に洗浄水を供給して、前記第１密閉容器と前記第２密閉容器との各々を洗浄するステップと、
前記ガス吸引通路を通じて前記第１密閉容器と前記第２密閉容器のうち少なくとも前記第２密閉容器からガスを吸引することで、前記第１液排出ポートと前記第２液吸引ポートとを通じて前記第１密閉容器内の汚水を前記第２密閉容器へ移送するステップを行う、廃液処理装置の洗浄方法。
【発明の詳細な説明】
【技術分野】
【０００１】
本発明は、医療現場で発生する廃液を吸引する廃液吸引装置、廃液吸引方法、及び、廃液吸引装置の洗浄方法に関する。
【背景技術】
【０００２】
従来から、医療現場で発生する廃液（手術などの際に発生する血液や生理食塩水など）を吸引するために廃液吸引装置が用いられている。特許文献１には、医療処置中に生成される廃棄物材料を収集する廃棄物収集ユニットが記載されている。
【０００３】
具体的に、特許文献１に記載の廃棄物収集ユニットは、第１の吸引ラインが接続された上側廃棄物容器と、第２の吸引ラインが接続された下側廃棄物容器とを備えている。廃棄物収集ユニットでは、真空源によって廃棄物容器内に真空を与えて、吸引ラインを通じて廃棄物材料を廃棄物容器のキャニスタ内に引き込む。廃棄物収集ユニットでは、廃棄物容器間に切替バルブが配置されており、切替バルブを開状態にすることで上側廃棄物容器から下側廃棄物容器へ廃棄物材料を移送することができる。
【先行技術文献】
【特許文献】
【０００４】
【特許文献１】特開２０１４−１３１７６０号公報
【発明の概要】
【発明が解決しようとする課題】
【０００５】
ところで、従来は、切替バルブを開状態にして上側廃棄物容器から下側廃棄物容器へ廃棄物材料を移送する際に、上側廃棄物容器から全ての廃棄物材料が排出された瞬間に、上側廃棄物容器が下側廃棄物容器のガス空間に繋がる。そのため、仮に外部から上側廃棄物容器に廃棄物材料を吸引しながら廃棄物材料を移送した場合、上側廃棄物容器から全ての廃棄物材料が排出された瞬間に上側廃棄物容器の内圧が大きく上昇し、外部からの廃棄物材料の吸引が一時的に止まる虞がある。
【０００６】
本発明は、このような事情に鑑みてなされたものであり、少なくとも２つの密閉容器を備えた廃液吸引装置において、外部から第１密閉容器への廃液の吸引を継続しながら、第１密閉容器から第２密閉容器へ廃液を移送可能な廃液吸引装置を提供することを目的とする。
【課題を解決するための手段】
【０００７】
上述の課題を解決するべく、第１の発明は、医療現場で発生する廃液を吸引する廃液吸引装置であって、第１液吸引ポートと第１液排出ポートとが設けられ、第１液吸引ポートを通って外部から吸引した廃液を貯留する第１密閉容器と、第１液排出ポートに繋がる第２液吸引ポートが設けられ、第２液吸引ポートを通って第１密閉容器から移送された廃液を貯留する第２密閉容器と、第１密閉容器と第２密閉容器とからガスを吸引するためのガス吸引通路とを備え、ガス吸引通路を通じて第１密閉容器及び第２密閉容器からガスを吸引して第１密閉容器及び第２密閉容器の両方に負圧が形成された状態にすることで、外部から廃液を第１密閉容器に吸引しながら、第１密閉容器と第２密閉容器とに差圧を生じさせて、第１液排出ポート及び第２液吸引ポートを通じて第１密閉容器から第２密閉容器へ廃液が移送されるように構成されている。
【０００８】
第２の発明は、第１の発明において、ガス吸引通路として、第１密閉容器に接続する第１ガス吸引管と第２密閉容器に接続する第２ガス吸引管とに途中で分岐する分岐吸引通路と、第１密閉容器と第２密閉容器とを接続する接続吸引通路とが設けられ、分岐吸引通路の出口からガスを吸引する期間に、第１ガス吸引管が閉状態で第２ガス吸引管が開状態になった第１状態と、第１ガス吸引管と第２ガス吸引管との両方が開状態になった第２状態とを切り替え可能な吸引切替部を備え、吸引切替部が第１状態に設定される期間は、接続吸引通路を通じて第１密閉容器のガスが第２密閉容器に吸引される。
【０００９】
第３の発明は、第１又は２の発明において、外部から圧縮ガスを導入するための圧縮ガス用ポートが設けられ、該圧縮ガス用ポートから導入した圧縮ガスを蓄える圧力タンクと、第１密閉容器と第２密閉容器の少なくとも一方に圧力タンク内の圧縮ガスを供給するための圧縮ガス供給管と、圧縮ガス供給管を開閉する開閉機構とをさらに備え、圧力タンクは、第２密閉容器内に配置されている。
【００１０】
第４の発明は、第１の発明において、ガス吸引通路は、第１密閉容器に接続する第１ガス吸引管と第２密閉容器に接続する第２ガス吸引管とに途中で分岐する分岐吸引通路を有し、第１ガス吸引管を流れるガス流量を調節する負圧調整部をさらに備えている。
【００１１】
第５の発明は、第４の発明において、負圧調整部として、第１ガス吸引管に設けられた圧力レギュレータと、第１密閉容器において液面が所定水位を超えると第１ガス吸引管を閉鎖するフロート弁とが設けられている。
【００１２】
第６の発明は、第１乃至５の何れか１つの発明において、第１密閉容器の容積は、第２密閉容器の容積よりも小さい。
【００１３】
第７の発明は、第１乃至６の何れか１つの発明において、第１液排出ポートは、第１密閉容器の底面に開口している。
【００１４】
第８の発明は、医療現場で発生する廃液を吸引する廃液吸引装置であって、外部から廃液を吸引するための液吸引ポートと、吸引した廃液を排出するための液排出ポートとが設けられた密閉容器と、外部から圧縮ガスを導入するための圧縮ガス用ポートが設けられ、該圧縮ガス用ポートから導入した圧縮ガスを蓄える圧力タンクと、密閉容器に圧力タンク内の圧縮ガスを供給するための圧縮ガス供給管と圧縮ガス供給管を開閉する開閉機構とを備え、圧力タンクは、密閉容器内に配置されている。
【００１５】
第９の発明は、医療現場で発生する廃液を吸引する廃液吸引方法であって、第１密閉容器と第２密閉容器とからガスを吸引することで、第１密閉容器及び第２密閉容器の両方に負圧が形成された状態にして、第１密閉容器に設けられた第１液吸引ポートから外部の廃液を第１密閉容器に吸引するステップと、第１液吸引ポートから外部の廃液を第１密閉容器に吸引しながら、第１密閉容器と第２密閉容器とに差圧を生じさせて、第１密閉容器と第２密閉容器とを接続する容器接続通路を通じて第１密閉容器から第２密閉容器へ廃液を移送するステップとを行う。
【００１６】
第１０の発明は、第１乃至第８の何れか１つの発明の廃液吸引装置を洗浄する洗浄方法であって、第１密閉容器と第２密閉容器との各々に洗浄水を供給して、第１密閉容器と第２密閉容器との各々を洗浄するステップと、ガス吸引通路を通じて第１密閉容器と第２密閉容器のうち少なくとも第２密閉容器からガスを吸引することで、第１液排出ポートと第２液吸引ポートとを通じて第１密閉容器内の汚水を第２密閉容器へ移送するステップを行う。
【発明の効果】
【００１７】
第１の発明では、ガス吸引通路を通じてガスを吸引すると、第１密閉容器及び第２密閉容器の両方に負圧が形成される。第１密閉容器では、第１液吸引ポートに吸引力が作用し、外部の廃液が第１液吸引ポートを通って吸引される。そして、例えば、医療現場で廃液が第１密閉容器に吸引される際、空気が混入すると、第１密閉容器と第２密閉容器とに差圧が生じ（第１密閉容器の内圧が第２密閉容器の内圧より高くなり）、第１密閉容器内の廃液が、第１液排出ポート及び第２液吸引ポートを通って第２密閉容器へ移送される。また、例えば、第２密閉容器を介して第１密閉容器のガスが吸引される場合、又は、第１密閉容器の内圧が調節されるように廃液吸引装置が構成されている場合、ガスが混入しなくても第１密閉容器内の廃液は第２密閉容器へ移送される。第１の発明によれば、外部から第１密閉容器への廃液の吸引を継続しながら、第１密閉容器から第２密閉容器へ廃液を移送可能な廃液吸引装置を提供できる。
【００１８】
また、第２の発明では、吸引切替部を第１状態に設定する期間、第１密閉容器のガスは、第２密閉容器を介して分岐吸引通路に吸引される。一方、吸引切替部を第２状態に設定する期間、第１密閉容器のガスは、分岐吸引通路に直接的に吸引される。第２状態は、第１状態に比べて第１密閉容器の内圧が低くなり、第１液吸引ポートに作用する吸引力が大きくなる。第２の発明によれば、吸引切替部を切り替えることで、廃液の発生箇所に作用する吸引力を調節することができる。
【００１９】
また、第３の発明では、第１密閉容器と第２密閉容器の少なくとも一方に圧縮ガスを供給することが可能であり、ポンプのような電装品を利用せずに、密閉容器から液体を排出させることができる。そして、圧力タンクが第２密閉容器内に配置されているため、圧力タンクを設けることで廃液吸引装置が大型化することを抑制することができる。
【００２０】
また、第４の発明では、例えば分岐吸引通路を通じて第１密閉容器と第２密閉容器との両方からガスを吸引する期間に、第１ガス吸引管を流れるガス流量を絞ることで、第１密閉容器と第２密閉容器との差圧を拡大して、第１密閉容器から第２密閉容器への廃液の移送量を増大させることができる。
【００２１】
また、第５の発明では、負圧調整部として、圧力レギュレータとフロート弁とが設けられている。ここで、吸引力によって患者の組織が損傷する虞がある場合などに、圧力レギュレータの開度を小さくすることで、第１密閉容器の内圧が高くなり、廃液の発生箇所に作用する吸引力を小さくすることができる。この場合、第１密閉容器と第２密閉容器との差圧が大きくなり、第１密閉容器から第２密閉容器への廃液の移送量が多くなる。一方、廃液の吸引量を多くしたい場合などに、圧力レギュレータの開度を大きくすることで、第１密閉容器の内圧は低くなり、廃液の発生箇所に作用する吸引力が大きくなる。この場合、第１密閉容器と第２密閉容器との差圧が小さく、第１密閉容器から第２密閉容器への廃液の移送量が少ないため、第１密閉容器に廃液が溜まっていく場合がある。このような場合に、第１密閉容器において液面が上昇してフロート弁に浮力が作用すると、フロート弁において弁座に弁体が近づき開度が小さくなり、第１ガス吸引管を流れるガス流量が低下する。そして、第１密閉容器と第２密閉容器との差圧が大きくなり、第１密閉容器から第２密閉容器への廃液の移送量が増大する。第５の発明によれば、廃液の発生箇所に作用する吸引力を調節可能で、第１密閉容器で廃液が溢れることなく第２密閉容器へ廃液を移送することができる。
【００２２】
また、第６の発明では、第１密閉容器の容積が第２密閉容器の容積より小さい。ここで、第１密閉容器と第２密閉容器との容積を同じにした場合、多くの廃液を貯留できるように第１密閉容器と第２密閉容器の合計容積を大きくすると、外部の廃液を吸引する際に第１密閉容器の内圧を低下させるのに要する時間が長くなり、吸引の応答性が低下する。それに対し、第１密閉容器の容積を第２密閉容器の容積より小さくした場合、第１密閉容器と第２密閉容器との容積を同じにした場合に比べて合計容積が同じであっても、第１密閉容器の内圧を低下させるのに要する時間が短く、吸引の応答性は向上する。第６の発明によれば、吸引の応答性が良好な廃液吸引装置を提供できる。
【００２３】
また、第７の発明では、第１液排出ポートが第１密閉容器の底面に開口しているため、外部の廃液を第１密閉容器へ吸引する動作が終了した後に、第１密閉容器内の廃液を全て第２密閉容器に移送することができ、外部から吸引した廃液を第２密閉容器に集めることができる。
【００２４】
また、第８の発明では、第３の発明と同様に、圧力タンクを利用して密閉容器から液体を排出させることが可能でありながら、廃液吸引装置が大型化することを抑制することができる。
【図面の簡単な説明】
【００２５】
【図１】実施形態に係る廃液吸引装置の概略構成図
【図２】制御ユニットの概略構成図
【図３】（ａ）吸引動作の開始直後の状態を説明するための図、（ｂ）吸引動作中に第１密閉容器のフロート弁の開度が小さくなった状態を説明するための図
【図４】（ａ）吸引動作終了後に第１密閉容器から第２密閉容器へ廃液が移送されている状態を説明するための図、（ｂ）吸引動作終了後の状態を説明するための図
【図５】廃棄洗浄動作の殺菌ステップにおいて殺菌消毒剤が第１密閉容器に導入されている状態を説明するための図
【図６】廃棄洗浄動作の殺菌ステップにおいて第１密閉容器内の殺菌消毒剤が第２密閉容器へ移送されている状態を説明するための図
【図７】廃棄洗浄動作の殺菌ステップにおいて殺菌消毒剤がなくなった後に気泡によって第２密閉容器で液体を撹拌している状態を説明するための図
【図８】廃棄洗浄動作の廃液処理ステップにおいて脱塩素処理剤が第１密閉容器に導入されている状態を説明するための図
【図９】廃棄洗浄動作の廃液処理ステップにおいてｐＨ中和剤が第１密閉容器に導入されている状態を説明するための図
【図１０】廃棄洗浄動作の液廃棄ステップの状態を説明するための図
【図１１】廃棄洗浄動作の洗浄ステップの状態を説明するための図
【図１２】変形例１に係る廃液吸引装置の概略構成図
【図１３】（ａ）吸引動作において廃液を吸引している状態を説明するための図、（ｂ）吸引動作において廃液の吸引終了後に液吸引管等を殺菌消毒している状態を説明するための図
【図１４】廃棄洗浄動作の殺菌ステップにおいて殺菌消毒剤が第２密閉容器に導入されている状態を説明するための図
【図１５】廃棄洗浄動作の殺菌ステップにおいて殺菌消毒剤がなくなった後に気泡により第２密閉容器で液体を撹拌している状態を説明するための図
【図１６】廃棄洗浄動作の液廃棄ステップの状態を説明するための図
【図１７】廃棄洗浄動作の洗浄ステップの状態を説明するための図
【図１８】変形例２に係る廃液吸引装置の概略構成図
【図１９】（ａ）吸引動作の開始直後の状態を説明するための図、（ｂ）吸引動作中に第１密閉容器のフロート弁の開度が小さくなった状態を説明するための図
【図２０】（ａ）廃棄洗浄動作の殺菌ステップにおいて第１密閉容器内の殺菌消毒剤が第１密閉容器へ吸引されている状態を説明するための図、（ｂ）廃棄洗浄動作の液廃棄ステップの状態を説明するための図
【図２１】変形例３に係る廃液吸引装置の第１吸引動作の状態を説明するための図
【図２２】廃液吸引装置の第２吸引動作の状態を説明するための図
【図２３】廃棄洗浄動作の廃液処理ステップの状態を説明するための図
【図２４】廃棄洗浄動作の液廃棄ステップの状態を説明するための図
【図２５】廃棄洗浄動作の洗浄ステップの状態を説明するための図
【図２６】変形例４に係る廃液吸引装置においてガス充填動作の状態を説明するための図
【図２７】廃液吸引装置において第１吸引動作の状態を説明するための図
【図２８】廃液吸引装置において第２吸引動作の状態を説明するための図
【図２９】廃液吸引装置において圧縮ガスにより第１密閉容器の廃液を第２密閉容器へ移送している状態を説明するための図
【図３０】廃棄洗浄動作の液廃棄ステップの状態を説明するための図
【発明を実施するための形態】
【００２６】
以下、本発明の実施形態や変形例を詳細に説明する。なお、以下の実施形態や変形例は、本発明の一例であって、本発明、その適用物、あるいはその用途の範囲を制限することを意図するものではない。
【００２７】
＜実施形態＞
図１−図１１を参照しながら、実施形態について説明する。
【００２８】
［１．廃液吸引装置の構成について］
廃液吸引装置１０は、医療現場で発生する廃液（手術中に出る廃液、又は、内視鏡検査の処置において発生する廃液等）の吸引に用いる装置である。図１に示すように、廃液吸引装置１０は、第１密閉容器１１と、第２密閉容器１２と、これらの容器１１，１２などを収容するケーシング（図示省略）とを備えている。第１密閉容器１１と第２密閉容器１２の各々は、例えば、上方が開放された容器本体に蓋部材がシール部材を介して取り付けられた密閉容器である。廃液吸引装置１０は、ケーシングに取り付けられた車輪によって容易に移動させることが可能である。
【００２９】
第１密閉容器１１は、外部から吸引した廃液を最初に貯留する容器である。第１密閉容器１１には、外部から液面高さが見える透明容器が用いられている。第１密閉容器１１は、第２密閉容器１２の外側面に取り付けられている。第１密閉容器１１には、第１液吸引ポート１５と第１液排出ポート１６と第１ガス排出ポート１７と第１洗浄用ポート１８とが設けられている。第１液吸引ポート１５には、液吸引管２１の出口側が接続されている。第１液排出ポート１６には、容器接続管２２の入口側が接続されている。第１ガス排出ポート１７には、ガス吸引管２３のうち第１ガス吸引管２３ａの入口側が接続されている。第１洗浄用ポート１８には、第１洗浄用配管２４ａの出口側が接続されている。また、第１密閉容器１１には、液面が所定水位（満水付近の水位）を超えた場合に第１ガス排出ポート１７を閉じるフロート弁３１が設けられている。
【００３０】
第２密閉容器１２は、第１密閉容器１１から移送された廃液を貯留する容器であり、第１密閉容器１１に比べて容積が大きい。第２密閉容器１２の容積は、例えば第１密閉容器１１の容積の例えば５倍以上である。第２密閉容器１２には、第２液吸引ポート２６と第２ガス排出ポート２７と第２洗浄用ポート２８とガス連通用ポート２９とが設けられている。第２液吸引ポート２６には、容器接続管２２の出口側が接続されている。第２ガス排出ポート２７には、ガス吸引管２３のうち第２ガス吸引管２３ｂの入口側が接続されている。第２洗浄用ポート２８には、第２洗浄用配管２４ｂの出口側が接続されている。ガス連通用ポート２９には、連通管２０が接続されている。また、第２密閉容器１２には、液面が所定水位（満水付近の水位）を超えた場合に第２ガス排出ポート２７を閉じるフロート弁３２が設けられている。
【００３１】
液吸引管２１は、廃液の発生箇所６４（図３（ａ）参照）から第１密閉容器１１に廃液を吸引するための管である。液吸引管２１の入口には、コネクタとしてオス側カプラー４１ａ（プラグ）が設けられている。オス側カプラー４１ａは、チューブ１０２（図３（ａ）参照）のメス側カプラー４１ｂ（ソケット）が接続される。液吸引管２１の出口は、第１密閉容器１１の上部空間（ガス空間）において側壁側を向いて開口している。また、液吸引管２１には、第１開閉弁６１が設けられている。
【００３２】
容器接続管２２は、第１密閉容器１１から第２密閉容器１２へ廃液を移送するための管である。容器接続管２２は、第１液排出ポート１６と第２液吸引ポート２６とを接続する容器接続通路であり、入口が第１密閉容器１１の底面に開口し、出口が第２密閉容器１２の底面に開口している。容器接続管２２には、第１密閉容器１１側から順番に、第２開閉弁６２と逆止弁５３が設けられている。逆止弁５３は、第１密閉容器１１側への逆流を阻止する。容器接続管２２における逆止弁５３と第２密閉容器１２との間には、液排出管２５の一端（入口端）が接続されている。
【００３３】
液排出管２５は、第２密閉容器１２から廃液を廃棄するための管である。第２液吸引ポート２６は、容器接続管２２の出口側だけでなく、液排出管２５の入口側にも繋がっており吸排出ポートとして機能する。液排出管２５には、第２密閉容器１２側への逆流を阻止する逆止弁５４が設けられている。また、液排出管２５の他端（出口端）には、オス側カプラー４３ａが設けられている。
【００３４】
液排出管２５は、第２密閉容器１２の液面を計測する液面計としても用いられる。具体的に、液排出管２５には透明な管２５ａが用いられている。液排出管２５は、第２密閉容器１２に沿って底面側から高さ方向に延びている。液排出管２５のオス側カプラー４３ａは、廃液の吸引時に、第２密閉容器１２から延びる連通管２０のメス側カプラー４３ｂに接続される。第２密閉容器１２内では、連通管２０が上部空間（ガス空間）に開口している。そのため、液排出管２５が連通管２０を通じて第２密閉容器１２のガス空間に連通し、液排出管２５の液面が第２密閉容器１２の液面と略等しくなる。
【００３５】
ガス吸引管２３は、第１密閉容器１１と第２密閉容器１２とからガスを同時に吸引するためのガス吸引通路（分岐吸引通路）を構成する。ガス吸引管２３の一端（出口端）には、吸引アウトレットとしてコネクタ４４が設けられている。ガス吸引管２３は、コネクタ４４から延びる１本の合流管が途中で、第１ガス排出ポート１７に接続された第１ガス吸引管２３ａと、第２ガス排出ポート２７に接続された第２ガス吸引管２３ｂとに分岐している。
【００３６】
ガス吸引管２３では、分岐箇所よりもコネクタ４４側に、第３開閉弁６３が設けられている。また、第１ガス吸引管２３ａには、第１ガス吸引管２３ａを流通するガスの圧力損失を調節する圧力レギュレータ３０（吸引圧調整レギュレータ）が設けられている。圧力レギュレータ３０には、第１ガス吸引管２３ａにおける第１密閉容器１１側の圧力を計測する圧力計が接続されている。
【００３７】
第１洗浄用配管２４ａは、第１密閉容器１１に洗浄水（水道水）を供給するための管である。第１洗浄用配管２４ａの一端には、給水アウトレットとしてコネクタ４５が設けられている。第１洗浄用配管２４ａの他端は、第１密閉容器１１内で第１スプリンクラー３３に接続されている。一方、第２洗浄用配管２４ｂは、第２密閉容器１２に洗浄水（水道水）を供給するための管である。第２洗浄用配管２４ｂの一端には、給水アウトレットとしてコネクタ４６が設けられている。第２洗浄用配管２４ｂの他端は、第２密閉容器１２内で第２スプリンクラー３４に接続されている。
【００３８】
なお、圧力レギュレータ３０は、使用者が手動で操作可能である。また、第１〜第３開閉弁６１〜６３には、手動操作が可能な開閉弁として、例えばボールバルブ（開度調節が可能なボールバルブ）が用いられている。また、逆止弁５３〜５４には、例えばスイングチャッキ弁が用いられている。本実施形態では、廃液吸引装置１０に電装品が用いられていない。また、オス側カプラー４１ａ，４３ａ及びメス側カプラー４３ｂには、接続時のみ流体が流通する逆止弁付きのタイプが用いられている。なお、これらの弁やカプラーは、記載したタイプとは別のものを用いてもよい。
【００３９】
［２．制御ユニットの構成について］
廃液吸引装置１０は、外部から廃液を吸引して貯留する吸引動作と、吸引動作によって貯留された廃液の廃棄及び各密閉容器１１，１２の洗浄を行う廃棄洗浄動作を行う。本実施形態では、廃棄洗浄動作を自動で行うために、廃液吸引装置１０に制御ユニット４０が接続される。
【００４０】
制御ユニット４０は、図２に示すように、廃液を無害化するための薬剤を供給する薬剤供給部７１と、水道栓７０ａ（図５参照）からの水道水を各洗浄用配管２４ａ，２４ｂへ供給するための洗浄用接続通路７２と、各密閉容器１１，１２の内圧調節に用いるポンプ７３と、これらの部品７１〜７３などを収容するケーシング（図示省略）とを備えている。なお、医療施設側で薬剤処理できる場合は、薬剤供給部７１を省略してもよい。
【００４１】
薬剤供給部７１は、第１〜第３薬剤貯留容器８１〜８３と、各薬剤貯留容器８１〜８３から薬剤を流出させる薬剤流出通路７７とを備えている。第１薬剤貯留容器８１には殺菌消毒剤（例えば、次亜塩素酸ナトリウム）が貯留され、第２薬剤貯留容器８２には脱塩素処理剤（例えば、チオ硫酸ナトリウム（ハイポ））が貯留され、第３薬剤貯留容器８３にはｐＨ中和剤（例えば、スルファミン酸）が貯留される。また、薬剤流出通路７７は、第１〜第３薬剤貯留容器８１〜８３の各々の出口から延びる３本の流出管が１本の合流管に合流している。各流出管には、開閉弁８４〜８６が設けられている。また、合流管の出口にはコネクタ９１が設けられている。
【００４２】
洗浄用接続通路７２は、入口となるコネクタ９２から延びる１本の流入管が第１分岐管７２ａと第２分岐管７２ｂとに分岐している。第１分岐管７２ａは、途中に開閉弁８７が設けられ、出口にコネクタ９３が設けられている。第２分岐管７２ｂは、途中に開閉弁８８が設けられ、出口にコネクタ９４が設けられている。
【００４３】
洗浄用接続通路７２の流入管からは、薬剤洗浄通路７４が分岐している。薬剤洗浄通路７４は、第１薬剤貯留容器８１の頂部に接続する第１洗浄分岐管７４ａと、第３薬剤貯留容器８３の頂部に接続する第２洗浄分岐管７４ｂとに分岐している。第１洗浄分岐管７４ａには開閉弁８９が設けられ、第２洗浄分岐管７４ｂには開閉弁９０が設けられている。
【００４４】
ポンプ７３は、吐出側に吐出管７５が接続され、吸入側に吸入管７６が接続されている。吐出管７５にはコネクタ９５が設けられ、吸入管７６にはコネクタ９６が設けられている。吐出管７５には、ポンプ７３の吐出口がコネクタ９５側に連通する第１状態と、ポンプ７３の吐出口が外部に連通する第２状態とに切り替え可能な第１三方弁６５が設けられている。吸入管７６には、ポンプ７３の吸入口がコネクタ９６側に連通する第１状態と、ポンプ７３の吸入口が外部に連通する第２状態とに切り替え可能な第２三方弁６６が設けられている。
【００４５】
なお、各開閉弁８４〜９０には、電磁弁が用いられている。各三方弁６５，６６には三方電磁弁が用いられている。制御ユニット４０には、各開閉弁８４〜９０、各三方弁６５，６６及びポンプ７３を制御する制御部５０が設けられている。
【００４６】
［３．廃液吸引装置の使用方法について］
図３−図１１を参照にして、廃液吸引装置１０の使用方法について説明をする。なお、図３−図１１では、液体が流通している配管を太線の実線で示し、ガスが流通している配管を太線の点線で示している。また、ボールバルブを用いた各開閉弁６１〜６３の状態はレバーの向きで表し、また開閉弁６１〜６３，８４〜９０のうち開状態の弁の符号を四角で囲っている。また、第１三方弁６５及び第２三方弁６６については、互いに繋がったポートが設けられた三角形を塗り潰している。これらの図面の表現方法は、後述する変形例１〜４においても同じである。
【００４７】
［３−１．吸引動作について］
まず、図３−図４を参照にして、手術中に患者から出る廃液を吸引して廃液吸引装置１０に回収する吸引動作について説明する。なお、手術を行う医療施設にはガス吸引装置（図示省略）が設けられ、そのガス吸引装置の吸引ポート１００が手術室の壁面に設けられている。作業者は、準備作業として、図３（ａ）に示すように、チューブ１０１によってガス吸引管２３のコネクタ４４を吸引ポート１００に接続し、チューブ１０２のメス側カプラー４１ｂを液吸引管２１のオス側カプラー４１ａに接続する。
【００４８】
そして、この状態で、作業者が第１〜第３開閉弁６１〜６３を全て開状態へ切り替えると、ガス吸引装置によって第１密閉容器１１及び第２密閉容器１２からガスが同時に吸引される吸引動作が開始され、各密閉容器１１，１２では内圧が低下して負圧が形成される。第１密閉容器１１の内圧の低下に伴ってチューブ１０２の入口に吸引力が作用する。そして、廃液の発生箇所６４にチューブ１０２の入口を配置すると、図３（ａ）に示すように、廃液がチューブ１０２及び液吸引管２１を通って第１密閉容器１１に吸引される。廃液が第１密閉容器１１に吸引される際、空気が混入する。そのため、第１密閉容器１１の内圧が第２密閉容器１２の内圧よりも高くなり、第１密閉容器１１内の廃液が容器接続管２２を通って第２密閉容器１２へ移送される。この状態での廃液の移送量は少ないため、第１密閉容器１１には、廃液の発生箇所６４から吸引した廃液が溜まっていく。
【００４９】
吸引動作中に、図３（ｂ）に示すように、第１密閉容器１１において液面が上昇してフロート弁３１に浮力が作用すると、フロート弁３１において弁座に弁体が近づき、フロート弁３１の開度が小さくなる。この状態では、第１密閉容器１１より第２密閉容器１２の方が多くのガスが吸引されるため、第２密閉容器１２と第１密閉容器１１との差圧が拡大する。その結果、第１密閉容器１１から第２密閉容器１２への廃液の移送量が増大する。また、第１密閉容器１１では、フロート弁３１における弁体と弁座の隙間を通じてガスの吸引が継続されるため、廃液の発生箇所６４からの廃液の吸引が継続される。
【００５０】
なお、吸引力によって患者の組織が損傷する虞がある場合など、廃液の発生箇所６４に作用する吸引力を低下させたい場合がある。このような場合、使用者は、圧力レギュレータ３０の開度を小さくする。この場合、圧力レギュレータ３０によって第２密閉容器１２と第１密閉容器１１との差圧が拡大するため、液面が上昇してフロート弁３１の開度が小さくならなくても、第１密閉容器１１から第２密閉容器への廃液の移送量は増加する。
【００５１】
また、吸引動作中は、液排出管２５が連通管２０を介して第２密閉容器１２のガス空間に連通しているため、液排出管２５における透明な管２５ａが、第２密閉容器１２の液面計として機能する。使用者は、透明な管２５ａを見て第２密閉容器１２の液面高さを把握できる。吸引動作の終了時に関し、例えば医療処置が終了して廃液の吸引が必要なくなると、チューブ１０２の入口から第１密閉容器１１にガスが導入される。そうすると、第１密閉容器１１は負圧が形成された状態ではなくなる。この場合、圧力レギュレータ３０が全開であっても第１密閉容器１１の内圧より第２密閉容器１２の内圧が低くなり、図４（ａ）に示すように、第１密閉容器１１内の廃液が第２密閉容器１２に吸引される。そして、第１密閉容器１１の廃液がなくなった状態で、使用者は、図４（ｂ）に示すように、第１〜第３開閉弁６１〜６３を閉状態に切り替える。これにより、吸引動作は終了する。
【００５２】
［３−２．廃棄洗浄動作］
続いて、図５−図１１を参照にして、廃液吸引装置１０から廃液を廃棄して第１密閉容器１１及び第２密閉容器１２の各々の内部を洗浄する廃棄洗浄動作について説明する。
【００５３】
なお、廃棄洗浄動作を行う前に、作業者は、汚物処理室へ廃液吸引装置１０を移動させて準備作業を行う。準備作業としては、図５に示すように、廃液吸引装置１０に制御ユニット４０を接続し、液排出管２５のオス側カプラー４３ａを汚物流し７０のメス側カプラー７０ｂに接続し、さらにチューブ１０３によって制御ユニット４０のコネクタ９２を水道栓７０ａに接続する。廃液吸引装置１０と制御ユニット４０の接続については、具体的に、コネクタ４１ａとコネクタ９１との間にチューブ１０４を接続し、コネクタ４５とコネクタ９３との間にチューブ１０５を接続し、コネクタ４４とコネクタ９６との間にチューブ１０６を接続し、コネクタ４６とコネクタ９４との間にチューブ１０７を接続し、コネクタ４３ｂとコネクタ９５との間にチューブ１０８を接続する。
【００５４】
使用者は、準備作業が終わると、第１〜第３開閉弁６１〜６３を開状態に切り替え、制御ユニット４０の開始スイッチ（図示省略）をＯＮにする。そうすると、制御部５０は廃棄洗浄動作の実行を開始する。廃棄洗浄動作は全自動で行われる。
【００５５】
まず、制御部５０は、廃液を殺菌消毒する殺菌ステップを行う。殺菌ステップでは、制御部５０が、第１三方弁６５を第２状態に設定し、第２三方弁６６を第１状態に設定し、ポンプ７３を運転させる。ポンプ７３は吸引ポンプとして機能する。また、制御部５０は、開閉弁８４を開状態に切り替える。
【００５６】
そうすると、図５に示すように、ポンプ７３によって第１密閉容器１１及び第２密閉容器１２からガスが同時に吸引され、第１薬剤貯留容器８１内の殺菌消毒剤が、チューブ１０４等を通って第１密閉容器１１に吸引される。そして、第１薬剤貯留容器８１から殺菌消毒剤がなくなると、第１薬剤貯留容器８１内のガスが第１密閉容器１１に吸引される。そうすると、第１密閉容器１１は負圧が形成された状態ではなくなり、第１密閉容器１１の内圧より第２密閉容器１２の内圧が低くなる。その結果、図６に示すように、第１密閉容器１１内の殺菌消毒剤が第２密閉容器１２に吸引される。そして、第１密閉容器１１から殺菌消毒剤がなくなると、図７に示すように、第１密閉容器１１内のガスが第２密閉容器１２に吸引される。第２密閉容器１２では、底部から吹き出される気泡によって廃液と殺菌消毒剤の混合が促進される。なお、廃棄洗浄動作において圧力レギュレータ３０の開度を小さくして、ポンプ７３を吸引ポンプとして機能させる期間に亘って、第２密閉容器１２の内圧が第１密閉容器１１の内圧よりも低くなるようにしてもよい。
【００５７】
また、殺菌ステップの途中において、制御部５０は、第１薬剤貯留容器８１の殺菌消毒剤がなくなった後に、開閉弁８９を一時的に開状態に切り替えて閉状態に戻す。開閉弁８９が開状態の期間は、水道栓７０ａからの水道水が、第１薬剤貯留容器８１に供給され、さらに開閉弁８４を通って第１密閉容器１１に吸引される（図示省略）。これにより、アルカリ性の殺菌消毒剤が開閉弁８４から洗い流される。
【００５８】
制御部５０は、ポンプ７３の運転開始から所定時間（例えば１〜２分間）の経過後、ポンプ７３を停止させ、開閉弁８４を閉状態に切り替える。ポンプ７３の運転時間は、第１密閉容器１１内への殺菌消毒剤の導入、及び、第１密閉容器１１から第２密閉容器１２への殺菌消毒剤の移送に必要な時間に予め設定されている。殺菌ステップでは、殺菌消毒剤が通過する箇所（第１密閉容器１１、液吸引管２１及び容器接続管２２）の殺菌消毒が行われる。そして、制御部５０は、ポンプ７３の停止時点から所定の待機時間（例えば１時間）に亘って待機する。廃棄洗浄動作の制御処理は一時的に中断される。この間、第２密閉容器１２内で廃液の殺菌処理が進行する。
【００５９】
次に、待機時間の経過後、制御部５０は、第２密閉容器１２内の廃液を廃棄可能な状態（無害化した状態）に処理する廃液処理ステップを行う。廃液処理ステップでは、まず制御部５０は、開閉弁８５を開状態に切り替え、ポンプ７３を運転させる。第１三方弁６５は第２状態に設定され、第２三方弁６６は第１状態に設定される。
【００６０】
廃液処理ステップでは、図８に示すように、殺菌ステップと同様に、ポンプ７３によって第１密閉容器１１及び第２密閉容器１２からガスが同時に吸引され、第２薬剤貯留容器８２内の脱塩素処理剤が第１密閉容器１１に吸引される。そして、第２薬剤貯留容器８２から脱塩素処理剤がなくなると、第２薬剤貯留容器８２内のガスが第１密閉容器１１に吸引され、第１密閉容器１１内の脱塩素処理剤が第２密閉容器１２に吸引される（図示省略）。そして、第１密閉容器１１から脱塩素処理剤がなくなると、第１密閉容器１１内のガスが第２密閉容器１２に吸引される（図示省略）。第２密閉容器１２では、底部から吹き出される気泡によって廃液と脱塩素処理剤の混合が促進される。
【００６１】
次に、制御部５０は、開閉弁８５を閉状態に切り替え、開閉弁８６を開状態に切り替える。ポンプ７３の運転は継続されている。これにより、図９に示すように、第３薬剤貯留容器８３内のｐＨ中和剤が第１密閉容器１１に吸引される。そして、第３薬剤貯留容器８３からｐＨ中和剤がなくなると、第３薬剤貯留容器８３内のガスが第１密閉容器１１に吸引され、第１密閉容器１１内のｐＨ中和剤が第２密閉容器１２に吸引される（図示省略）。そして、第１密閉容器１１からｐＨ中和剤がなくなると、第１密閉容器１１内のガスが第２密閉容器１２に吸引される（図示省略）。第２密閉容器１２では、底部から吹き出される気泡によって廃液とｐＨ中和剤の混合が促進される。制御部５０は、所定時間の経過後、ポンプ７３を停止させる。
【００６２】
なお、制御部５０は、第３薬剤貯留容器８３内のｐＨ中和剤がなくなった後に、開閉弁９０を一時的に開状態に切り替えて閉状態に戻す。開閉弁９０が開状態の期間は、水道栓７０ａからの水道水が第３薬剤貯留容器８３に供給され、さらに開閉弁８６を通って第１密閉容器１１に吸引される（図示省略）。これにより、酸性のｐＨ中和剤が開閉弁８６から洗い流される。
【００６３】
次に、制御部５０は、第２密閉容器１２内の廃液を廃棄する液廃棄ステップを行う。液廃棄ステップでは、制御部５０が、第１三方弁６５を第１状態に切り替え、第２三方弁６６を第２状態に切り替えて、ポンプ７３を運転させる。ポンプ７３は加圧ポンプとして機能する。これにより、図１０に示すように、ポンプ７３から吐出されたガスがチューブ１０８及び連通管２０を通って第２密閉容器１２へ供給され、第２密閉容器１２では液面が加圧される。その結果、第２密閉容器１２内の廃液が液排出管２５を通って汚物流し７０へ排出される。制御部５０は、第２密閉容器１２内の全ての廃液が汚物流し７０に排出された状態で、ポンプ７３を停止させる。
【００６４】
次に、制御部５０は、第１密閉容器１１及び第２密閉容器１２の各タンク内を洗浄する洗浄ステップを行う。洗浄ステップでは、制御部５０が、第１三方弁６５を第２状態に設定し、第２三方弁６６を第１状態に設定し、ポンプ７３を運転させる。また、制御部５０は、開閉弁８７及び開閉弁８８を開状態に切り替える。これにより、図１１に示すように、水道栓７０ａから供給された水が、洗浄用接続通路７２を通って第１密閉容器１１及び第２密閉容器１２の各々でスプリンクラー３３，３４から散水され、各密閉容器１１，１２の内部が洗浄される。また、第１密閉容器１１は液吸引管２１などを通じて外部と連通しているため、第１密閉容器１１内の汚水（洗浄後の水）は第２密閉容器１２へ移送される。
【００６５】
洗浄ステップを終了させる際は、制御部５０は、開閉弁８７及び開閉弁８８を閉状態に戻して散水を停止させる。そして、第１密閉容器１１内の全ての汚水が第２密閉容器１２に移送された状態で、ポンプ７３を停止させる。
【００６６】
次に、制御部５０は、再び液廃棄ステップを行う。この液廃棄ステップにより、図１０に示すように、ポンプ７３から吐出されたガスが第２密閉容器１２へ供給され、第２密閉容器１２内の汚水が液排出管２５を通って汚物流し７０へ排出される。この液廃棄ステップは、廃液を排出する時の液廃棄ステップと同じ動作であるため、詳細な説明は省略する。以上により、廃棄洗浄動作が終了する。
【００６７】
［４．実施形態の効果など］
本実施形態では、ガス吸引通路２３を通じて、第１密閉容器１１と第２密閉容器１２とからガスを同時に吸引すると、外部の廃液が第１液吸引ポート１５を通って吸引され、負圧調整部３０，３１によって第１ガス吸引管２３ａの流量が低下した場合、第１密閉容器１１内の廃液が第２密閉容器１２へ比較的速やかに移送される。本実施形態によれば、外部から廃液を吸引しながら密閉容器１１，１２間で廃液を容易に移送可能な廃液吸引装置１０を提供できる。
【００６８】
また、本実施形態では、第１ガス吸引管２３ａを流れるガス流量を調節する負圧調整部として、圧力レギュレータ３０とフロート弁３１とが設けられているため、廃液の発生箇所６４に作用する吸引力を調節可能で、その吸引力の調節状態に拘わらず第２密閉容器１２へ廃液を移送することができる。
【００６９】
また、本実施形態では、第１密閉容器１１の容積が第２密閉容器１２の容積より小さいため、吸引の応答性が良好な廃液吸引装置１０を提供できる。
【００７０】
また、本実施形態では、第１液排出ポート１６が第１密閉容器１１の底面に開口しているため、第１密閉容器１１内の廃液を全て第２密閉容器１２に移送することができ、外部から吸引した廃液を第２密閉容器１２に集めて薬剤処理することができる。
【００７１】
また、本実施形態では、第２液吸引ポート２６が第２密閉容器１２の下部に開口しているため、第１密閉容器１１から移送されたガス（気泡）によって第２密閉容器１２内の廃液を攪拌することができ、薬剤と廃液との混合を促進させることができる。
【００７２】
また、本実施形態では、容器接続管２２に第１密閉容器１１側への廃液の逆流を阻止する逆止弁５３が設けられ、その逆止弁５３より第２密閉容器１２側に液排出管２５が接続されている。本実施形態では、第１密閉容器１１から移送される廃液が通過する第２液吸引ポート２６が、第２密閉容器１２からの廃液の排出にも利用される。そのため、液排出管２５を設けるにあたって、構造が複雑化することを抑制できる。
【００７３】
また、本実施形態では、殺菌ステップ及び廃液処理ステップで第１密閉容器１１に供給された薬剤が、第２密閉容器１２に移送される。そのため、容器接続管２２に薬剤を供給しつつ、第２密閉容器１２で廃液に薬剤を混合することができる。
【００７４】
＜変形例１＞
図１２〜図１７を参照して変形例１について説明する。本変形例に係る廃液吸引装置１１０は、第２密閉容器１２における配管の接続位置などが上述の実施形態とは異なる。以下では、実施形態とは異なる点を中心に説明する。また、実施形態と同じ構成要素については、同じ名称を用いて同じ符号を付している。
【００７５】
本変形例では、図１２に示すように、容器接続管２２が第２密閉容器１２の上部空間に開口している。具体的に、容器接続管２２は、第２密閉容器１２の蓋部材の第２液吸引ポート２６に挿通され、蓋部材の直下に出口が配置されている。また、液排出管２５は、第２密閉容器１２の底面の第２液排出ポート３６に接続されている。また、連通管２０の代わりに、ガス供給管６０が設けられている。ガス供給管６０は、第２密閉容器１２のガス供給ポート３７に挿通されている。ガス供給管６０は、一端にコネクタ４７が設けられ、他端が第２密閉容器１２の底面近傍に開口している。
【００７６】
吸引動作では、作業者が第１〜第３開閉弁６１〜６３を全て開状態へ切り替えると、医療施設のガス吸引装置によって第１密閉容器１１及び第２密閉容器１２からガスが同時に吸引される。廃液の発生箇所６４にチューブ１０２の入口を配置すると、廃液がチューブ１０２等を通って第１密閉容器１１に吸引される。そして、圧力レギュレータ３０の開度を小さくした場合、図１３（ａ）に示すように、第１密閉容器１１に吸引された廃液が、容器接続管２２を通って第２密閉容器１２に比較的速やかに移送される。吸引動作中に第１密閉容器１１が空になるとガスが第２密閉容器１２に移送される。一方、圧力レギュレータ３０の開度を小さくしていない状態では、液面が上昇してフロート弁３１の開度が小さくなると、第１密閉容器１１に吸引された廃液が比較的速やかに第２密閉容器１２に移送される。
【００７７】
本変形例では、第２密閉容器１２において流体が液面の上側から吐出される。ここで、上述の実施形態の場合、吸引動作中に第２密閉容器１２にガスが移送される状態では、ガスが液面下で吐出され、気泡の音が医療行為の従事者に伝わる虞がある。必要に応じて、遮音材や吸音材などで第２密閉容器１２を被覆する必要がある。それに対し、本変形例では、気泡の音が発生しない。本変形例によれば、静音性に優れた廃液吸引装置１１０を提供することができる。
【００７８】
また、本変形例では、後述するが、廃棄洗浄動作で薬剤が第２密閉容器１２に直接供給される。そのため、吸引動作の終了時に廃液の吸引が終了すると、液吸引管２１内を殺菌消毒するために、図１３（ｂ）に示すように、殺菌消毒剤が入った第１薬剤貯留容器８１内にチューブ１０２の入口を配置し、液吸引管２１から第１密閉容器１１に殺菌消毒剤を導入する。圧力レギュレータ３０の開度を小さくした場合、第１密閉容器１１に導入された殺菌消毒剤は第２密閉容器１２へ移送される。吸引動作は、第１密閉容器１１の殺菌消毒剤がなくなった後に、使用者が第１〜第３開閉弁６１〜６３を閉状態に切り替えることで終了する。なお、圧力レギュレータ３０の開度を小さくしていない状態では、第１薬剤貯留容器８１から殺菌消毒剤がなくなってガスが第１密閉容器１１に吸引されると、第１密閉容器１１に導入された殺菌消毒剤が第２密閉容器１２へ移送される（図示省略）。
【００７９】
また、廃棄洗浄動作では、準備作業において実施形態とは異なり、図１４に示すように、制御ユニット４０のコネクタ９１に対しコネクタ４７を接続する。また、制御ユニット４０にコネクタ９５が設けられておらず、コネクタ９６に吐出管７５と吸入管７６とが接続されている。
【００８０】
殺菌ステップでは、ポンプ７３によって第１密閉容器１１及び第２密閉容器１２からガスが同時に吸引されると、第１薬剤貯留容器８１内の殺菌消毒剤が、チューブ１０４等を通って第２密閉容器１２に吸引される。そして、第１薬剤貯留容器８１から殺菌消毒剤がなくなると、図１５に示すように、第１薬剤貯留容器８１内のガスが第２密閉容器１２に吸引される。第２密閉容器１２では、液面下から気泡が吹き出される。なお、第１薬剤貯留容器８１内の殺菌消毒剤がなくなった後に、開閉弁８９を開状態に切り替えて、水道栓７０ａからの水道水によって開閉弁８４を洗浄する動作が行われる点は、実施形態と同じである。
【００８１】
また、廃液処理ステップでは、開閉弁８５を開状態に設定して第２薬剤貯留容器８２内の脱塩素処理剤を第２密閉容器１２に導入する動作と、開閉弁８６を開状態に設定して第３薬剤貯留容器８３内のｐＨ中和剤を第２密閉容器１２に導入する動作とが、この順番で行われる。何れの動作において、薬剤貯留容器８２，８３から薬剤がなくなると、第２密閉容器１２にはガスが吸引され、液面下で気泡が吹き出される。なお、第３薬剤貯留容器８３内のｐＨ中和剤がなくなった後に、開閉弁９０を開状態に切り替えて、水道栓７０ａからの水道水によって開閉弁８６を洗浄する動作が行われる点は、実施形態と同じである。
【００８２】
また、液廃棄ステップでは、第１三方弁６５が第１状態に設定され、第２三方弁６６が第２状態に設定される。ポンプ７３から吐出されたガスは、図１６に示すように、ガス吸引管２３を通って第２密閉容器１２へ供給され、第２密閉容器１２では液面が加圧される。第２密閉容器１２内の廃液は液排出管２５を通って汚物流し７０へ排出される。
【００８３】
また、洗浄ステップでは、第１三方弁６５が第２状態に設定され、第２三方弁６６が第１状態に設定され、開閉弁８７及び開閉弁８８が開状態に設定される。図１７に示すように、水道栓７０ａから供給された水は、洗浄用接続通路７２を通って第１密閉容器１１及び第２密閉容器１２の各々でスプリンクラー３３，３４から散水される。また、ポンプ７３の運転が行われており、第１密閉容器１１が液吸引管２１などを通じて外部と連通しているため、第１密閉容器１１の内圧より第２密閉容器１２の内圧が低くなり、第１密閉容器１１内の汚水は第２密閉容器１２へ移送される。そして、洗浄ステップ後に、再び液廃棄ステップを行う。
【００８４】
＜変形例２＞
図１８〜図２０を参照して変形例２について説明する。本変形例に係る廃液吸引装置２１０は、上述の実施形態における制御ユニット４０を用いることなく、単体で廃棄洗浄動作を行うことができる。なお、以下では上述の実施形態と同じ構成については、同じ名称にして同じ符号を付している。
【００８５】
図１８に示すように、廃液吸引装置２１０は、ポンプ７３と、第２〜第３薬剤貯留容器８２〜８３とを備えている。ポンプ７３に接続された吐出管７５と吸入管７６とは、互いに接続されて１本の配管を介してガス吸引管２３に接続されている。また、第２〜第３薬剤貯留容器８２〜８３は、第２密閉容器１２に接続されている。また、第１洗浄用配管２４ａと第２洗浄用配管２４ｂとは、コネクタ４８から延びる１本の配管から分岐している。分岐箇所の上流側には開閉弁９８が設けられている。
【００８６】
変形例では、吸引動作を行う時は、医療施設のガス吸引装置に繋がる吸引ポート１００とコネクタ４４とを接続する。図１９（ａ）に示すように、各密閉容器１１，１２からガスが吸引され、廃液の発生箇所６４からの廃液が第１密閉容器１１に吸引される。そして、図１９（ｂ）に示すように、第１密閉容器１１においてフロート弁３１の開度が小さくなると、第１密閉容器１１内の廃液が第２密閉容器１２へ比較的速やかに移送される。なお、吸引動作において、医療施設のガス吸引装置の代わりにポンプ７３を用いるように廃液吸引装置２１０を構成してもよい。
【００８７】
また、廃棄洗浄動作の殺菌ステップについては、図２０（ａ）に示すように、殺菌消毒剤が入った第１薬剤貯留容器８１にチューブ１０２の入口を配置した状態で、制御部５０が、第１三方弁６５を第２状態に設定し、第２三方弁６６を第１状態に設定し、ポンプ７３を運転させる。これにより、第１薬剤貯留容器８１から第１密閉容器１１へ殺菌消毒剤が供給され、さらに殺菌消毒剤がなくなってガスが第１密閉容器１１へ導入される状態になると殺菌消毒剤が第１密閉容器１１から第２密閉容器１２へ移送される。また、廃液処理ステップについては、開閉弁８５と開閉弁８６を順次開状態に切り替え、第２薬剤貯留容器８２から第２密閉容器１２へ脱塩素処理剤を供給し、さらに第３薬剤貯留容器８３から第２密閉容器１２へｐＨ中和剤を供給する（図示省略）。
【００８８】
また、液廃棄ステップについては、図２０（ｂ）に示すように、制御部５０が、第１三方弁６５を第１状態に切り替え、第２三方弁６６を第２状態に切り替えて、ポンプ７３を運転させる。これにより、ポンプ７３から吐出されたガスが第２密閉容器１２へ供給され、第２密閉容器１２内の廃液が汚物流し７０へ排出される。また、洗浄ステップについては、制御部５０が、第１三方弁６５を第２状態に設定し、第２三方弁６６を第１状態に設定し、ポンプ７３を運転させる。制御部５０は、開閉弁９８を開状態に切り替える。これにより、水道栓７０ａから供給された水が、第１密閉容器１１及び第２密閉容器１２の各々でスプリンクラー３３，３４から散水される。
【００８９】
＜変形例３＞
図２１〜図２５を参照して変形例３について説明する。本変形例に係る廃液吸引装置３１０は、ガス吸引管２３の構成や制御ユニット１４０の構成、制御ユニット１４０から薬液が導入される位置などが、上述の実施形態とは異なる。また、吸引動作において第１密閉容器１１及び第２密閉容器１２のうち第２密閉容器１２だけからガスを直接的に吸引できる点も、上述の実施形態とは異なる。以下では、実施形態とは異なる点を中心に説明する。なお、実施形態と同じ構成要素については、同じ名称を用いて同じ符号を付している。
【００９０】
ガス吸引管２３は、医療施設のガス吸引装置と制御ユニット１４０のポンプ７３の何れにも接続可能となっている。ガス吸引管２３は、図２１及び図２２に示すように、コネクタ４４から合流管２３ｃが延伸し、途中で第１ガス吸引管２３ａと第２ガス吸引管２３ｂとに分岐している。合流管２３ｃには、コネクタ３９から延びる第１接続管２３ｄが接続されている。第１ガス吸引管２３ａには、第５開閉弁６８が接続されている。第５開閉弁６８は吸引切替部に相当する。また、第２ガス吸引管２３ｂには、コネクタ３８から延びる第２接続管２３ｅが接続されている。コネクタ３８には、吸引ポート１００が接続されるコネクタ４８に接続されている。コネクタ４８は、圧力レギュレータ３０を着脱可能となっている。
【００９１】
また、液面計２５ａが設けられた連通管２５ｂが、液排出管２５から分岐している。連通管２５ｂは、液面計２５ａ内のガス圧が第２密閉容器１２のガス圧と等しくなるように、第２洗浄用配管２４ｂに接続されている。連通管２５ｂには、水量調節用の開閉弁３５が接続されている。なお、容器接続管２２及び第２洗浄用配管２４ｂの途中には、着脱自在の一組のコネクタ１１１，１１２対が設けられている。そのため、コネクタ１１２対を分離して第１密閉容器１１側のコネクタを吸引ポート１００に接続したり、コネクタ対１１１を分離して第１密閉容器１１側のコネクタを汚物流し７０に接続したりすることで、第１密閉容器１１単体で廃液の吸引及び排出を行うことができる。
【００９２】
また、制御ユニット１４０の薬剤供給部７１に接続するためのコネクタ４７から延びる接続管５８が、容器接続管２２における逆止弁５３の下流に接続されている。また、薬剤供給部７１は、図２３に示すように、上述の実施形態とは異なり殺菌消毒剤用の第１薬剤貯留容器８１を備えておらず、第２薬剤貯留容器８２と第３薬剤貯留容器８３との２つの薬剤貯留容器を備えている。
【００９３】
また、廃液吸引装置３１０は、圧縮ガスを蓄えることができる圧力タンク７８を備えている。圧力タンク７８の圧縮ガス用ポート７８ａは、ガス導入管５１を介してコネクタ４９に接続されている。また、圧力タンク７８は、圧縮ガス供給管５２を介して第１密閉容器１１に接続されている。圧縮ガス供給管５２には、圧縮ガス供給管５２を開閉する第４開閉弁（開閉機構）６７が接続されている。圧力タンク７８は、後述する変形例４と同様にガス充填動作を行うことで、医療施設に設けられた圧縮ガス供給装置から圧縮ガスを導入することができる。なお、圧力タンク７８は、密閉容器１１，１２の外側に配置されているが、後述する変形例４と同様に第２密閉容器１２内に配置してもよい。
【００９４】
次に、廃液吸引装置３１０の動作について説明する。まず図２１−図２２を参照にして、吸引動作について説明する。作業者は、準備作業として、図２１に示すように、チューブ１０２を液吸引管２１に接続し、チューブ１０１及び圧力レギュレータ３０を介してコネクタ４８を吸引ポート１００に接続する。そうすると、ガス吸引装置によってガス吸引管（分岐吸引通路）２３からガスが吸引される吸引動作が開始される。なお、第５開閉弁６８は、患者に応じて開状態又は閉状態の何れかに設定される。例えば泌尿器科の患者に対して第５開閉弁６８は閉状態（吸引切替部の第１状態）に設定され、整形外科の患者に対して第５開閉弁６８は開状態（吸引切替部の第２状態）に設定される。
【００９５】
まず第５開閉弁６８を閉状態に設定した場合の第１吸引動作について説明する。この場合、ガス吸引管２３の出口からガスを吸引することで、図２１に示すように、第２密閉容器１２からガスが吸引される。さらに、容器接続管（接続吸引通路）２２を通じて第１密閉容器１１から第２密閉容器１２へガスが吸引される。第１密閉容器１１及び第２密閉容器１２の両方に負圧が形成された状態になる。そのため、第１開閉弁６１を開状態にすることでチューブ１０２の先端に吸引力が作用し、廃液の発生箇所６４から第１密閉容器１１に廃液を吸引することができる。第１密閉容器１１に吸引された廃液は、容器接続管２２を通じて第１密閉容器１１から第２密閉容器１２へ移送される。また、チューブ１０２の先端からは廃液だけでなく空気も吸引される。第１密閉容器１１内の空気は、廃液がなくなった時に第２密閉容器１２へ移送される。第１密閉容器１１から第２密閉容器１２へは、廃液又は空気の何れかが移送され続ける。そのため、第１密閉容器１１内は負圧に維持される。
【００９６】
続いて第５開閉弁６８を開状態に設定した場合の第２吸引動作について説明する。この場合、ガス吸引管２３の出口からガスを吸引することで、図２２に示すように、上述の実施形態と同様に第１密閉容器１１及び第２密閉容器１２からガスが吸引され、第１密閉容器１１及び第２密閉容器１２の両方に負圧が形成された状態になる。そのため、第１開閉弁６１を開状態にすることで、廃液の発生箇所６４から第１密閉容器１１へ廃液を吸引することができる。この場合、医療現場では空気が混入して、第１密閉容器１１と第２密閉容器１２とに差圧が生じ、第１密閉容器１１から第２密閉容器１２へ廃液が移送される。なお、第１密閉容器１１には、開閉弁６１が設けられた液吸引管２１を複数本接続してもよい。この場合、各開閉弁６１の開度を半開きに設定することで、１つの液吸引管２１から空気が導入された時に第１密閉容器１１の内圧が大きく上昇して他の液吸引管２１の吸引力が大きく低下することを抑制できる。
【００９７】
第１吸引動作では、第１密閉容器１１のガスが、第２密閉容器１２を介してガス吸引管（分岐吸引通路）２３に吸引される。そのため、第１密閉容器１１のガスが直接的にガス吸引管２３に吸引される第２吸引動作に比べ、チューブ１０２の先端に作用する吸引力が小さく、廃液の発生箇所６４に作用する吸引力を低下させたい場合に好適である。一方、第２吸引動作は、チューブ１０２の先端に作用する吸引力が比較的大きくなり、発生する廃液の量が多い場合に好適である。本変形例では、それぞれに利点がある第１吸引動作と第２吸引動作とを適宜選択することができる。
【００９８】
また、第２吸引動作では、第１密閉容器１１の廃液の吸引量が第１密閉容器１１から第２密閉容器１２への廃液の移送量より多くなり、第１密閉容器１１の液面が徐々に上昇していく場合がある。このような場合、フロート弁３１の開度が小さくなると、第１密閉容器１１と第２密閉容器１２との差圧が拡大し、第１密閉容器１１から第２密閉容器１２への廃液の移送量が増大する。また、フロート弁３１まで液面が上昇していない状態でも、使用者が、第５開閉弁６８を閉鎖した後に、第４開閉弁６７を開状態にすることで、圧力タンク７８から第１密閉容器１１に圧縮ガスが供給されて、第１密閉容器１１の廃液を第２密閉容器１２へ速やかに移送することができる（図示省略）。
【００９９】
なお、第２吸引動作において廃液の吸引が終了すると、第４開閉弁６７を開状態にして圧力タンク７８から第１密閉容器１１に圧縮ガスを供給される。これにより、第１密閉容器１１の全ての廃液が第２密閉容器１２へ移送される。なお、第１吸引動作では、吸引された廃液は直ちに第２密閉容器１２に移送されるが、廃液の吸引後に第１密閉容器１１に廃液が残る場合がある。このような場合、第２吸引動作と同様に、廃液の吸引の終了後に第１密閉容器１１に圧縮ガスを供給してもよい。
【０１００】
第１密閉容器１１から廃液がなくなると、手術室で殺菌ステップが行われる。使用者は、上述の変形例１と同様に、ガス吸引装置によるガスの吸引を行った状態で、第１薬剤貯留容器８１内にチューブ１０２の入口を配置する。そうすると、液吸引管２１から第１密閉容器１１に殺菌消毒剤が導入され、第１密閉容器１１から第２密閉容器１２へ消毒殺菌剤が移送される。この時、液排出管２５を通じて第２密閉容器１２の底部から空気が吹き出され、廃液と殺菌消毒剤の混合が促進される。殺菌消毒剤の導入が終了すると、使用者は、コネクタ４８と吸引ポート１００との接続を解除し、第１開閉弁６１を閉状態に切り替える。そして、少なくとも上述の待機時間だけ時間を空けて、廃液の殺菌処理を進行させた後に、廃棄洗浄動作が行われる。
【０１０１】
続いて、図２３−図２５を参照にして、汚物処理室での廃棄洗浄動作について説明する。まず作業者は、準備作業としては、図２３に示すように、廃液吸引装置３１０に制御ユニット１４０を接続し、液排出管２５を汚物流し７０に接続し、さらにチューブ１０３によって制御ユニット１４０のコネクタ９２を水道栓７０ａに接続する。使用者は、準備作業が終わると、第１開閉弁６１を開状態に切り替え、制御ユニット１４０の開始スイッチをＯＮにする。そうすると、制御部５０は廃棄洗浄動作の実行を開始する。廃棄洗浄動作は全自動で行われる。
【０１０２】
まず、廃液処理ステップが行われる。廃液処理ステップでは、制御部５０が、開閉弁８５を開状態に設定する。そして、第１三方弁６５を第２状態に設定し、第２三方弁６６を第１状態に設定してポンプ７３を運転させる。そうすると、図２３に示すように、ポンプ７３によって第２密閉容器１２からガスが吸引され、第２薬剤貯留容器８２内の脱塩素処理剤が第２密閉容器１２に吸引される。この期間、液排出管２５を通じて第２密閉容器１２の底部から空気が吹き出される。次に、制御部５０は、開閉弁８５を閉状態に切り替えて、開閉弁８６を開状態に切り替える。そうすると、第３薬剤貯留容器８３内のｐＨ中和剤が第２密閉容器１２に吸引される。この期間も、第２密閉容器１２の底部から空気が吹き出される。
【０１０３】
次に、制御部５０は、上述の実施形態と同様の液廃棄ステップを行う。液廃棄ステップでは、制御部５０が、第１三方弁６５を第１状態に切り替え、第２三方弁６６を第２状態に切り替えて、ポンプ７３を運転させる。これにより、図２４に示すように、ポンプ７３から吐出されたガスが第２密閉容器１２へ供給され、第２密閉容器１２内の廃液が液排出管２５を通って汚物流し７０へ排出される。
【０１０４】
次に、制御部５０は、上述の実施形態と同様の洗浄ステップを行う。洗浄ステップでは、制御部５０が、第１三方弁６５を第２状態に設定し、第２三方弁６６を第１状態に設定して、ポンプ７３を運転させる。また、制御部５０は、開閉弁３５、開閉弁８７及び開閉弁８８を開状態に切り替える。これにより、図２５に示すように、水道栓７０ａから供給された水が、第１密閉容器１１及び第２密閉容器１２の各々でスプリンクラー３３，３４から散水され、各密閉容器１１，１２の内部が洗浄される。また、第２洗浄用配管２４ｂに分岐した水の一部は、連通管２５ｂにも供給され、液面計２５ａ内も洗浄される。第２密閉容器１２内のガスはポンプ７３によって吸引され、また第１密閉容器１１は液吸引管２１を通じて外部と連通している。そのため、第１密閉容器１１内の汚水は第２密閉容器１２へ移送される。なお、開閉弁３５の開度は適宜調節することができる。
【０１０５】
洗浄ステップが終了すると、制御部５０が再び液廃棄ステップを行うことで、第２密閉容器１２内の汚水が汚物流し７０へ排出される。
【０１０６】
＜変形例４＞
図２６〜図３１を参照して変形例４について説明する。本変形例に係る廃液吸引装置４１０は、第２密閉容器１２内の廃液を廃棄するためにポンプ７３の代わりに圧力タンク７８を第２密閉容器１２内に搭載している点が、上述の実施形態とは異なる。以下では、廃液吸引装置４１０の構成について、実施形態とは異なる点を中心に説明する。なお、実施形態と同じ構成要素については、同じ名称を用いて同じ符号を付している。
【０１０７】
圧力タンク７８は、上述の変形例３と同様に圧縮ガスを蓄える容器である。図２６に示すように、圧力タンク７８は、第２密閉容器１２内に配置されている。圧力タンク７８は、第２密閉容器１２に比べて断面積が小さく高さが低い容器である。圧力タンク７８は、その底面が第２密閉容器１２の底面から浮いた状態で、第２密閉容器１２に固定されている。
【０１０８】
圧力タンク７８の圧縮ガス用ポート７８ａには、圧縮ガスを導入するためにガス導入管５１が接続されている。ガス導入管５１からは、第１ガス吸引管２３ａに接続するガス供給管５５が分岐している。ガス供給管５５の分岐箇所には、第１切替弁５６が接続されている。第１切替弁５６は、ガス導入管５１及びガス供給管５５を閉鎖する閉状態と、圧力タンク７８をコネクタ４９に連通させる第１状態と、圧力タンク７８をガス供給管５５に連通させる第２状態とに切替可能である。また、圧縮ガス供給管５２は、一部が第２密閉容器１２の外側を通過し、出口端が第２密閉容器１２内の底面近傍に開口している。圧縮ガス供給管５２における第２密閉容器１２の外側部分には、第４開閉弁６７が接続されている。
【０１０９】
ここで、廃液吸引装置４１０において圧力タンク７８を利用するためには、作業者が圧力タンク７８にガスを充填するガス充填動作を行う必要がある。病院では手術室の壁面等に、ガス吸引装置の吸引ポート１００に加え、圧縮ガス供給装置の空気供給ポート１１５及び酸素供給ポート（図示省略）が設けられている。作業者は、図２６に示すように、空気供給ポート１１５（又は酸素供給ポート）とコネクタ４９をチューブ１１４で接続した状態で第１切替弁５６を第１状態に切り替えることでガス充填動作を行う。ガス充填動作を終了させる際は第１切替弁５６を閉状態に切り替える。
【０１１０】
また、圧力タンク７８に圧縮ガスが充填された状態で、第１切替弁５６を第２状態に切り替えると、圧力タンク７８内の圧縮ガスが、ガス供給管５５及び第１ガス吸引管２３ａを介して、第１密閉容器１１に供給される。また、第４開閉弁６７を開状態に切り替えると、圧力タンク７８内の圧縮ガスが、第２密閉容器１２に供給される。
【０１１１】
また、容器接続管（接続吸引通路）２２は、上述の変形例１と同様に、第２密閉容器１２の上部空間に開口している。容器接続管２２には、第１密閉容器１１側への逆流を阻止する逆止弁５３が接続されている。また、ガス吸引管（分岐吸引通路）２３は、上述の実施形態と同様に、第１ガス吸引管２３ａと第２ガス吸引管２３ｂとに分岐している。第１ガス吸引管２３ａには、吸引切替部に相当する第５開閉弁６８が接続されている。
【０１１２】
また、第１洗浄用配管２４ａの途中に第２洗浄用配管２４ｂが接続されている。この接続箇所には、第２切替弁５７が接続されている。第２洗浄用配管２４ｂは、複数の分岐管（例えば３つの分岐管）に分岐している。各分岐管の出口端には、スプリンクラー３４が接続されている。第２密閉容器１２内には、例えば３つのスプリンクラー３４が設けられ、圧力タンク７８を中心とする周方向において等角度間隔で配置されている。なお、第２密閉容器１２には、変形例２と同様に、第２薬剤貯留容器８２及び第３薬剤貯留容器８３が接続されている（図示省略）。
【０１１３】
また、液面計２５ａが接続された連通管２５ｂが、変形例３と同様に、液排出管２５の途中から分岐している。連通管２５ｂは、第２洗浄用配管２４ｂの分岐管に接続されている。液排出管２５には、第６開閉弁６９が接続されている。また、第１密閉容器１１には、第７開閉弁９９が設けられたガス抜き管９７が接続されている。
【０１１４】
なお、第４〜第７開閉弁６７〜６９，９９と第１〜第２切替弁５６，５７には、手動操作が可能な弁として、例えばボールバルブ（開度調節が可能なバルブ）が用いられている。廃液吸引装置４１０に電装品は用いられていない。また、上述の実施形態と同様に、第１ガス吸引管２３ａに圧力レギュレータ３０を設けてもよいし、コネクタ４４に圧力レギュレータ３０を取り付けてもよい。
【０１１５】
次に、廃液吸引装置４１０の動作について説明する。まず図２７−図２９を参照にして、吸引動作について説明する。以下では、廃液吸引装置４１０の動作については、変形例３とは異なる点を中心に説明する。作業者は、準備作業として、図２７に示すように、チューブ１０２を液吸引管２１に接続する。そして、この状態で、作業者が、チューブ１０１によってガス吸引管２３のコネクタ４４を吸引ポート１００に接続すると吸引動作が開始される。
【０１１６】
本変形例では、変形例３と同様に、第５開閉弁６８を閉状態に設定する第１吸引動作と、第５開閉弁６８を開状態に設定する第２吸引動作とを選択できる。第１吸引動作では、図２７に示すように、第２密閉容器１２のガスがガス吸引管２３に直接的に吸引され、第１密閉容器１１のガスが第２密閉容器１２を介してガス吸引管２３に吸引される。第２吸引動作では、図２８に示すように、第１密閉容器１１及び第２密閉容器１２からガスがガス吸引管２３に直接的に吸引される。各吸引動作では、第１開閉弁６１を開状態にすることで、廃液の発生箇所６４から第１密閉容器１１に廃液を吸引することができる。
【０１１７】
なお、第２吸引動作において廃液の吸引が終了すると、第５開閉弁６８を閉状態にして第１切替弁５６を第２状態にする。これにより、図２９に示すように、圧力タンク７８から第１密閉容器１１に圧縮ガスが供給され、第１密閉容器１１の廃液が第２密閉容器１２へ速やかに移送される。第１密閉容器１１から廃液がなくなると、手術室で殺菌ステップが行われる点は変形例３と同じである。殺菌ステップでは、全ての殺菌消毒剤が第２密閉容器１２へ移送された後に、第４開閉弁６７を開状態に切り替える。これにより、第２密閉容器１２では圧力タンク７８からのガスが液面下に供給され、廃液と殺菌消毒剤の混合が促進される（図示省略）。そして、少なくとも上述の待機時間だけ時間を空けて、廃液の殺菌処理を進行させる。
【０１１８】
続いて、図３０−図３１を参照にして、汚物処理室での廃棄洗浄動作について説明する。まず作業者は、準備作業としては、図３０に示すように、液排出管２５を汚物流し７０に接続し、さらにコネクタ４８を水道栓７０ａに接続する。
【０１１９】
まず、廃液処理ステップが行われる。廃液処理ステップでは、使用者が、第２薬剤貯留容器８２から第２密閉容器１２に脱塩素処理剤を供給し、所定の時間に亘って第４開閉弁６７を開状態に設定する。そうすると、第２密閉容器１２では圧力タンク７８からのガスが液面下に供給される。次に、使用者は、第３薬剤貯留容器８３から第２密閉容器１２にｐＨ中和剤を供給し、所定の時間に亘って第４開閉弁６７を開状態に設定する。第２密閉容器１２では圧力タンク７８からのガスが液面下に供給される。
【０１２０】
次に、液廃棄ステップが行われる。液廃棄ステップで、使用者は、第４開閉弁６７及び第６開閉弁６９の各々を開状態に切り替える。そうすると、図３０に示すように、圧力タンク７８内の圧縮ガスが第２密閉容器１２内に供給されて、第２密閉容器１２では液面が加圧される。その結果、第２密閉容器１２内の廃液が液排出管２５を通って汚物流し７０へ排出される。使用者は、液排出管２５から廃液が排出されなくなると、第４開閉弁６７及び第６開閉弁６９の各々を閉状態に戻す。
【０１２１】
次に、洗浄ステップが行われる。洗浄ステップにおいて、使用者は、第１密閉容器１１を洗浄する際は第２切替弁５７を第１状態に設定し、第２密閉容器１２を洗浄する際は第２切替弁５７を第２状態に設定する。第１状態では、水道栓７０ａから供給された水が、第１密閉容器１１でスプリンクラー３３から散水される（図示省略）。第２状態では、水道栓７０ａから供給された水が、第２密閉容器１２で各スプリンクラー３４から散水される（図示省略）。そして、各密閉容器１１，１２の洗浄が終了すると、使用者は、第２切替弁５７を閉状態に戻し、第１切替弁５６を第２状態に切り替える。これにより、圧力タンク７８から第１密閉容器１１に圧縮ガスが供給され、第１密閉容器１１内の汚水が第２密閉容器１２へ速やかに移送される（図示省略）。使用者は、第１密閉容器１１内の全ての汚水が第２密閉容器１２に移送された後に、第１切替弁５６を閉状態に切り替える。そして、再び液廃棄ステップを行う。この液廃棄ステップにより、第２密閉容器１２内の汚水が汚物流し７０へ排出される。以上により、廃棄洗浄動作が終了する。
【０１２２】
＜その他の変形例＞
上述の実施形態において、圧力レギュレータ３０とフロート弁３１のうち片方のみを設けてもよい。例えば、圧力レギュレータ３０だけを設ける場合、液面センサーを用いた制御などによって、第１密閉容器１１から廃液が溢れることを防止できる。
【０１２３】
上述の実施形態において、負圧調整部は、第１密閉容器１１の内圧を増大させる部品であってもよい。例えば、第１密閉容器１１に対し外部のガスを導入するガス抜き弁９９を用いることができる。これにより、圧力レギュレータ３０とフロート弁３１とは関係なく、第１密閉容器１１を負圧にしたまま、第１密閉容器１１の内圧に比べて第２密閉容器１２の内圧を低い値に調整できる。
【０１２４】
上述の実施形態において、第２密閉容器１２の内圧をさらに低下させる部品（例えばポンプ）を設けてもよい。この場合、廃液の発生箇所６４に作用する吸引力を一定にできる。
【０１２５】
上述の実施形態では、ガス吸引通路が、２手に分岐した配管であったが、別体の２つの配管であってもよい。この場合、一方の配管を第１ガス排出ポート１７に接続し、他方の配管を第２ガス排出ポート２７に接続する。そして、１つ又は複数のポンプを用いて、これらの２本の配管を通じて、第１密閉容器１１と第２密閉容器１２とから同時にガスを吸引する。また、第１ガス排出ポート１７に接続する配管に圧力レギュレータ３０を設けてもよい。
【０１２６】
上述の変形例３と変形例４では、第１吸引動作と第２吸引動作を切り替え可能であったが、第１吸引動作のみを実行できるように廃液吸引装置（第１密閉容器１１のガスが第２密閉容器１２を介してガス吸引管（分岐吸引通路）２３に吸引される装置）を構成してもよい。
【０１２７】
上述の変形例３と変形例４では、容器接続管２２が接続吸引通路に相当したが、容器接続管２２とは別途に第１密閉容器１１の上部空間と第２密閉容器１２の上部空間とを接続する管路を接続吸引通路として設けてもよく、この管路に開閉弁などの圧力損失を付与する部品を設けてもよい。
【産業上の利用可能性】
【０１２８】
本発明は、医療現場で発生する廃液を吸引する廃液吸引装置等に適用可能である。
【符号の説明】
【０１２９】
１０    廃液吸引装置
１１    第１密閉容器
１２    第２密閉容器
１５    第１液吸引ポート
１６    第１液排出ポート
１７    第１ガス排出ポート
２２    容器接続管（容器接続通路、接続吸引通路）
２３    ガス吸引管（ガス吸引通路、分岐吸引通路）
２５    液排出管
２６    第２液吸引ポート
２７    第２ガス排出ポート
３０    圧力レギュレータ（負圧調整部）
３１    フロート弁（負圧調整部）
【図１】
2019025287.tif 000003
【図２】
2019025287.tif 000004
【図３】
2019025287.tif 000005
【図４】
2019025287.tif 000006
【図５】
2019025287.tif 000007
【図６】
2019025287.tif 000008
【図７】
2019025287.tif 000009
【図８】
2019025287.tif 000010
【図９】
2019025287.tif 000011
【図１０】
2019025287.tif 000012
【図１１】
2019025287.tif 000013
【図１２】
2019025287.tif 000014
【図１３】
2019025287.tif 000015
【図１４】
2019025287.tif 000016
【図１５】
2019025287.tif 000017
【図１６】
2019025287.tif 000018
【図１７】
2019025287.tif 000019
【図１８】
2019025287.tif 000020
【図１９】
2019025287.tif 000021
【図２０】
2019025287.tif 000022
【図２１】
2019025287.tif 000023
【図２２】
2019025287.tif 000024
【図２３】
2019025287.tif 000025
【図２４】
2019025287.tif 000026
【図２５】
2019025287.tif 000027
【図２６】
2019025287.tif 000028
【図２７】
2019025287.tif 000029
【図２８】
2019025287.tif 000030
【図２９】
2019025287.tif 000031
【図３０】
2019025287.tif 000032